(57)【特許請求の範囲】
【請求項１】
低濁度分布域計測用濁度センサと、高濁度分布域計測用濁度センサとをモータ駆動ワイヤー等昇降装置により下降もしくは上昇させ、
上記低濁度分布域計測用濁度センサと、上記高濁度分布域計測用濁度センサとは、夫々別のモータワイヤー昇降装置により同調せずに昇降させ、
低濁度分布域下降中もしくは上昇中では低濁度分布域計測用濁度センサにより低濁度分布域データを、
また、高濁度分布域下降中もしくは上昇中では高濁度分布域計測用濁度センサにより高濁度分布域データを、
低濁度分布域データにおける深い方のデータと、高濁度分布域データにおける浅い方のデータがオーバーラップする状態となしてそれぞれ計測すると共に、
当該オーバーラップした両部分のデータをコンピュータ処理して合成データを構成し、
この合成データを介して連続した低濁度から高濁度までの濁度分布広域データを得ることを特徴とする広域濁度分布の計測方法。
【請求項２】
モータ駆動ワイヤー等昇降装置により低濁度分布域の下降中もしくは上昇中に低濁度分布域データを得る低濁度分布域計測用濁度センサと、
モータ駆動ワイヤー等昇降装置により下降もしくは上昇して高濁度分布域の下降中もしくは上昇中に高濁度分布域データを得る高濁度分布域計測用濁度センサと、
上記低濁度分布域計測用濁度センサのモータ駆動ワイヤー昇降装置と、上記高濁度分布域計測用濁度センサのモータ駆動ワイヤー昇降装置とは、夫々別のモータワイヤー昇降装置により同調して昇降しないように形成され、
上記低濁度分布域データにおける深い方のデータと、高濁度分布域データにおける浅い方のデータを一致させる処理を行って合成データを得て、連続した低濁度から高濁度までの濁度分布広域データを表示するコンピュータ処理部とからなる広域濁度分布の計測装置。
【発明の詳細な説明】
【０００１】
【発明が属する技術分野】
本発明は、計測レンジの異なる複数の濁度センサとコンピュータとを用いて広い範囲に亘る濁度（懸濁物の濃度）を計測できるようにした広域濁度分布の計測方法およびその装置に関するものである。
【０００２】
本発明において言う、オーバーラップした部分は、コンピュータで予想決定することのできる範囲の想定線同士がオーバーラップする部分も含むものとする。
【０００３】
【従来の技術】
従来、濁度（懸濁物の濃度）の計測は、光学式濁度計または超音波式濁度計等を用いて計測されている。
【０００４】
しかし乍ら、上記光学式濁度計は、低濁度（低濃度）分布域では良く計れるが高濁度（高濃度）分布域では難しい。他方超音波式濁度計は、高濁度（高濃度）分布域では良く計れるが低濁度（低濃度）分布域では計れない、というような問題点があった。
【０００５】
さて、例えば沈殿池等では、その上澄水の濁度が数ｍｇ/１以下であり、沈殿物の境界面付近の濁度が数百〜千ｍｇ/１であり、そしてそれよりも深い所では数千〜１０万ｍｇ/１である。
【０００６】
このように上澄部分と深い所の濁度の差が大きい場合には、上澄部分から深い所までの濁度を所謂通しで一挙に計測することができなかった。
【０００７】
【発明が解決しようとする課題】
そこで本発明は、上澄部分と深い所の濁度の差が大きい場合でも上澄部分から深い所までの濁度を所謂通しで一挙に計測することができる新規の広域濁度分布の計測方法およびその装置を提供することを目的とする。
【０００８】
【課題を解決するための手段】
上記目的を達成するために請求項１に係る広域濁度分布の計測方法は、低濁度分布域計測用濁度センサと、高濁度分布域計測用濁度センサとをモータ駆動ワイヤー等昇降装置により下降もしくは上昇させ、上記低濁度分布域計測用濁度センサと、上記高濁度分布域計測用濁度センサとは、夫々別のモータワイヤー昇降装置により同調せずに昇降させ、低濁度分布域下降中もしくは上昇中では低濁度分布域計測用濁度センサにより低濁度分布域データを、また、高濁度分布域下降中もしくは上昇中では高濁度分布域計測用濁度センサにより高濁度分布域データを、低濁度分布域データにおける深い方のデータと、高濁度分布域データにおける浅い方のデータがオーバーラップする状態となしてそれぞれ計測すると共に、当該オーバーラップした両部分のデータをコンピュータ処理して合成データを構成し、この合成データを介して連続した低濁度から高濁度までの濁度分布広域データを得るようにしたものである。
【０００９】
また、請求項２に係る広域濁度分布の計測装置は、モータ駆動ワイヤー等昇降装置により低濁度分布域の下降中もしくは上昇中に低濁度分布域データを得る低濁度分布域計測用濁度センサと、モータ駆動ワイヤー等昇降装置により下降もしくは上昇して高濁度分布域の下降中もしくは上昇中に高濁度分布域データを得る高濁度分布域計測用濁度センサと、上記低濁度分布域計測用濁度センサのモータ駆動ワイヤー昇降装置と、上記高濁度分布域計測用濁度センサのモータ駆動ワイヤー昇降装置とは、夫々別のモータワイヤー昇降装置により同調して昇降しないように形成され、上記低濁度分布域データにおける深い方のデータと、高濁度分布域データにおける浅い方のデータを一致させる処理を行って合成データを得て、連続した低濁度から高濁度までの濁度分布広域データを表示するコンピュータ処理部とからなるものである。
【００１０】
【実施例】
以下、本発明の実施例を図面に依拠して説明する。すなわち低濁度（低濃度）分布域計測用の光学式濁度（濃度）センサ１と高濁度（低濃度）分布域計測用の超音波式濁度（濃度）センサ２をそれぞれモータ駆動リール３からのワイヤー８により下降（もしくは上昇）させ、低濁度分布域下降中（もしくは上昇中）では光学式濁度センサ１により低濁度分布域データ４をまた高濁度分布域下降中（もしくは上昇中）では超音波式濁度センサ２により高濁度分布域データ５を、低濁度分布域データ４における深い方のデータ４ａと高濁度分布域データ５における浅い方のデータ５ａがオーバーラップする状態となしてそれぞれ計測すると共に当該オーバーラップしたデータ４ａ、５ａをコンピュータ処理して合成データ６を形成し、この合成データ６を介して低濁度分布域データ４と高濁度分布域データ５を連続した状態でグラフ表示（もしくは出力）するようにしたものである。
【００１１】
上記実施例は、例えば次のように作用する。
１．両センサを水面から降下させて光学式濁度センサ１により計測限度個所１０まで、具体的には界面を少し過ぎたところまで計測して低濁度分布域データ４を得る。
２．超音波式濁度センサ２を更に降下させて計測限度までまたは低部まで、具体的には界面に達する少し手前の個所１１から低部まで計測して高濁度分布域データ５を得る。
３．１で得た低濁度分布域データ４と、２で得た高濁度分布域データ５のオーバーラップしたデータの部分を一致させる処理をコンピュータ処理部（図示せず）で行って合成データを得ると共にこの合成データを介して低濁度（水面）から高濁度（低部）までの濁度分布広域データ９を連続した状態で得る。
４．３で得た連続の濁度分布広域データ９を必要に応じてグラフ表示する。
【００１２】
尚、オーバーラップさせる個所は、センサ等機器の性能、使用環境、その他に合せて任意に選ぶことができる。
【００１３】
図に示す光学式濁度センサ１および超音波式濁度センサ２の昇降は、それぞれ別々のワイヤーで同調させながら行うようにしてあるが、本発明はワイヤーの同調をさせなくともできるようにすることも、１本のワイヤーで行うようにすることもできる。また、低濁度分布域計測用濁度センサとして光学式濁度センサ１以外の同効もの、高濁度分布域計測用濁度センサとして超音波式濁度センサ以外の同効のものを採用して実施することもできる
【００１４】
【発明の効果】
本発明に係る広域濁度分布の計測方法は、上記の通り低濁度分布域計測用濁度センサと高濁度分布域計測用濁度センサをモータ駆動ワイヤー等昇降装置により下降させ、低濁度分布域下降中には低濁度分布域計測用濁度センサにより低濁度分布域データをまた高濁度分布域下降中には高濁度分布域計測用濁度センサにより高濁度分布域データを、低濁度分布域データにおける深い方のデータと高濁度分布域データにおける浅い方のデータをオーバーラップした状態となしてそれぞれ計測すると共に当該オーバーラップした両部分のデータをコンピュータ処理して合成データを構成し、この合成データを介して連続した低濁度から高濁度までの濁度分布域データを得るようにしたものであって、上澄部分と深い所の濁度の差が大きい場合でも上澄部分から深い所までの濁度を所謂通しで一挙に計測することができる新規の広域濁度分布の計測方法を提供するという所期の目的を完全に達成する著効を奏するものである。
【図面の簡単な説明】
【図１】本発明の実施例を示す説明図である。
【符号の説明】
１ 光学式濁度センサ
２ 超音波式濁度センサ
３ モータ駆動リール
４ 低濁度分布域データ
４ａ 深い方のデータ
５ 高濁度分布域データ
５ａ 浅い方のデータ
６ 合成データ
８ ワイヤー
９ 濁度分布広域データ
１０ 計測限度個所
１１ 手前の個所
【図１】
0003807948.tif 000002